(57)【要約】【課題】クラスター生成装置を備えてなる浴室において、マイナスイオンによるリラクセイション効果や健康増進効果を享受できるだけではなく、細菌の繁殖を抑え、室内を衛生的に維持できるようにする。【解決手段】水を破砕して微細な霧状のクラスターを生成するクラスター生成装置１を備える。クラスター生成装置１のクラスターの吹出し口１ｅを、室内に開口させる。水は、殺菌効果のある薬液を含有している。【選択図】　　　図１
2004057569.tif 000002
【特許請求の範囲】
【請求項１】
水を破砕して微細な霧状のクラスターを生成するクラスター生成装置を備えてなる浴室であって、上記クラスター生成装置のクラスターの吹出し口が室内に開口され、上記の水が殺菌効果のある薬液を含有していることを特徴とする浴室。
【請求項２】
請求項１記載の浴室であって、クラスター生成装置が、浴槽のエプロンの内側に設けられていることを特徴とする浴室。
【請求項３】
請求項１記載の浴室であって、クラスター生成装置が、浴室用カウンターの内側に設けられていることを特徴とする浴室。
【請求項４】
水を破砕して微細な霧状のクラスターを生成するクラスター生成装置を備えてなる浴室であって、上記のクラスター生成装置が浴槽のエプロンの内側に、クラスターの吹出し口を室内に開口させて設けられていることを特徴とする浴室。
【請求項５】
請求項４記載の浴室であって、クラスター生成装置が、浴槽のエプロンの内側に設けられるのに代え、浴室用カウンターの内側に、クラスターの吹出し口を室内に開口させて設けられていることを特徴とする浴室。
【請求項６】
請求項１乃至５の何れかに記載の浴室であって、外気を室内に導入するための吸気ファンの吸気口が室内の上部に設けられ、室内の空気を除去するための排気ファンの排気口が浴槽のエプロンに設けられていることを特徴とする浴室。
【請求項７】
請求項６記載の浴室であって、入浴中はクラスター生成装置を運転させ、入浴者が退室すると吸気ファンと排気ファンを運転させる制御装置を備えてなることを特徴とする浴室。
【請求項８】
請求項１乃至７の何れかに記載の浴室であって、換気時に室内の湿気を除去する除湿器を備えていることを特徴とする浴室。
【発明の詳細な説明】
【０００１】
【発明の属する技術分野】
本発明は、浴室に関し、更に詳しくはマイナスイオンによるリラクセイション（くつろぎ、息抜き）効果等を得られるよう形成した浴室に関するものである。
【０００２】
【従来の技術】
ところで人体を構成する細胞は、細胞膜で包まれ、各細胞は細胞膜を通して栄養の吸収や、老廃物の排出を行っている。この細胞は、プラスイオン、マイナスイオンの電子を帯び、マイナスイオンは血液の浄化を行い、酸性化している血液を弱アルカリ性にする。従ってマイナスイオンは、栄養分の吸収や老廃物の排出を促進し、新陳代謝を良くし、生理機能、生命力、活動力を高める。
それ故浴室内にこの種のマイナスイオンを放出させると、入浴によってリラクセイション効果と共に、健康増進効果をも得られるものである。
そこで従来、例えば循環ポンプや濾過手段、加熱器等を収納した浴水循環浄化装置（いわゆる２４時間風呂）に、マイナスイオン発生器を設けたり、或いはフィルタで清浄化した空気にマイナスイオンを含ませることができるよう、換気扇に、マイナスイオン発生装置を設けたものがある（例えば特開２００１−２６３７４２号公報、特開２００１−１３３００５号公報参照）。
又従来、水を破砕して微細化し、その際のレナード効果によってマイナスイオンを発生させる装置も知られている（例えば特許第３２６９３０４号公報等参照）。
【０００３】
【発明が解決しようとする課題】
ところで浴室は、高温多湿化し易いため、細菌が繁殖し、壁の目地等に黴が発生し易い場所である。従って浴室は、細菌の繁殖を抑え、黴の発生を防止できるよう構成されているのが望ましい。
しかるに従来、マイナスイオンの発生器やクラスター生成装置を備える浴室は、単にマイナスイオンを発生させたり、単にマイナスの電位を帯びたクラスターを室内に霧状に発散させるのに過ぎなかった。換言すると、従来品の場合は、室内を殺菌し黴の発生を防止する機能を持つものではなく、マイナスイオンによるリラクセイション効果等を得られるのに止まるものであった。又例えば壁パネル等の表面を防菌剤でコーティングすることも従来試みられているが、この種の浴室の場合は、水垢等の付着で防菌性が次第に低下するのを避けられず、従って永続性に欠ける、という問題があった。
【０００４】
而して水を破砕してクラスターを生成する装置は、回転翼の周囲に破砕用のフィン等を講じる必要があるため、装置が嵩張り易い。従ってこの種のクラスター生成装置を備える浴室は、クラスター生成装置を室内に露見させることなく体裁良く、又洗い場スペースを狭めることなく収納、配置できるよう形成されているのが望ましい。
【０００５】
本発明は、このような従来の実情に鑑み、提案されたものである。
従って本発明の技術的課題は、クラスター生成装置を備えてなる浴室において、マイナスイオンによるリラクセイション効果や健康増進効果を享受できるだけではなく、細菌の繁殖を抑え、室内を衛生的に維持できるよう形成した浴室を提供することにある。
【０００６】
又本発明は、クラスター生成装置を備えてなる浴室において、マイナスイオンによるリラクセイション効果や健康増進効果を享受できるだけではなく、クラスター生成装置を露見させることなく体裁良く、又洗い場スペースを狭めることなく収納、配置できるよう形成した浴室を、併せて提供することを目的とする。
【０００７】
【課題を解決するための手段】
本発明は、上記の課題を解決するために、次のような技術的手段を採る。
【０００８】
即ち本発明は、図１等に示されるように、水を破砕して微細な霧状のクラスターを生成するクラスター生成装置１を備えてなる浴室であって、上記クラスター生成装置１のクラスターの吹出し口１ｅが室内に開口され、上記の水が殺菌効果のある薬液を含有していることを特徴とする（請求項１）。
【０００９】
ここで、クラスターとは、複数個の原子又は分子が集まってできる構造単位を意味する。本発明の場合、クラスターの吹出し口１ｅの形成箇所は任意であるが、通常、クラスター生成装置１が設けられる箇所の近傍の壁面等に選定される。又ここで、殺菌効果のある薬液とは、黴や細菌などの有害な微生物を死滅させる効果のある液体を意味し、具体的には木酢、フィトンチッド溶液、ヒノキチオール溶液などがある。
【００１０】
又本発明は、クラスター生成装置１が、図１等に示されるように、浴槽２のエプロン３の内側に設けられているのが好ましい（請求項２）。
【００１１】
なぜならこの場合は、クラスター生成装置１を露見させることなく、エプロン３の内側（裏側）のデッドスペースを利用して体裁良く配置でき、又洗い場スペースをクラスター生成装置１で狭めることがないからである。又これによると、配設位置が低いため、水や薬液を補充し易いからである。この本発明の場合、クラスターの吹出し口１ｅは、エプロン３の例えば上部や、浴槽２のフランジ２ｂに開口される。
【００１２】
又本発明は、図４に示されるように、クラスター生成装置１が、浴室用カウンター８の内側に設けられているのでも良い（請求項３）。
【００１３】
この場合も、浴槽２のエプロン３の内側に設ける場合と同様、クラスター生成装置１を露見させることなく、浴室用カウンター８の内側（裏側）のデッドスペースを利用して体裁良く配置でき、又洗い場スペースをクラスター生成装置１で狭めることがないからである。又これによると、配設位置が低いため、水や薬液を補充し易いからである。この本発明の場合、クラスターの吹出し口１ｅは、浴室用カウンター８の前面８ａの、例えば上部や、或いは天面８ｂに開口される。なお浴室用カウンター８は、シャンプー容器や洗面器等を載置するための台に限定されるものではなく、その他例えば浴槽２周りに設けられ、入出浴の時に踏み台として使用するものも含まれる。
【００１４】
又本発明の課題を達成する浴室としては、水を破砕して微細な霧状のクラスターを生成するクラスター生成装置１を備えてなる浴室であって、上記のクラスター生成装置１が浴槽２のエプロン３の内側に、クラスターの吹出し口１ｅを室内に開口させて設けられているものがある（請求項４）
【００１５】
ここでクラスターの意味、クラスター生成装置１の構成、クラスターの吹出し口１ｅの形成位置等は、請求項１記載の発明の場合と同様である。この本発明の場合、水は、薬液を含有しない通常の浄水である。
【００１６】
又この本発明の場合、クラスター生成装置１は、浴槽２のエプロン３の内側に設けられるのに代え、図４に示されるように、浴室用カウンター８の内側に、クラスターの吹出し口１ｅを室内に開口させて設けられているのでも良い（請求項５）。
【００１７】
なぜならこれによると、クラスター生成装置１を露見させることなく、浴室用カウンター８の内側（裏側）のデッドスペースを利用して体裁良く配置でき、又洗い場スペースをクラスター生成装置１で狭めることがないからである。又これによると、配設位置が低いため、水を補充し易いからである。この場合、クラスターの吹出し口１ｅは、浴室用カウンター８の前面８ａの、例えば上部や、或いは天面８ｂに開口される。
【００１８】
又本発明は、図１に示されるように、外気を室内に導入するための吸気ファン４の吸気口４ａが室内の上部に設けられ、室内の空気を除去するための排気ファン６の排気口６ａが浴槽２のエプロン３に設けられているのが好ましい（請求項６）。
【００１９】
なぜならこの場合は、室内の上部に滞留している暖気に外気を直ぐに混合させることができ、又低い位置から冷たい空気を排気でき、室内雰囲気を、迅速、円滑に調和できるからである。又この場合は、排気口６ａが浴槽２のエプロン３に形成されているから、例えば排気口６ａを特定の側壁パネルに設ける場合より、室内の中央寄りに排気口６ａを配置でき、その分、円滑に且つ満遍なく排気できる。
【００２０】
又この本発明の場合は、図５に示されるように、入浴中はクラスター生成装置１を運転させ、入浴者が退室すると吸気ファン４と排気ファン６を運転させる制御装置１０を備えてなるのが好ましい（請求項７）。
【００２１】
なぜならこれによると、入浴時にマイナスイオンによる効果を確実に得られ、退室時は空気の入れ換えによって衛生的に室内を維持でき、次の入浴者に快適な入浴環境を提供できるからである。ここで制御装置１０としては、例えばマイコンやシーケンサー等がある。入浴中か否かの判断は、手動スイッチからの入力を待って行うのでも良いが、操作の煩雑さを避け、運転を確実且つ楽にできるよう、入浴者を検知するとオンになる人感センサ１１（赤外線センサ）等の検知器で行うのが好ましい。
【００２２】
又この場合本発明は、図７に示されるように、換気時に室内の湿気を除去する除湿器１２を備えているのが好ましい（請求項８）。
【００２３】
なぜならこの場合は、室内をより乾燥でき、黴の発生をより確実に防止できるからである。除湿器１２は、例えば天井５等の室内の高い位置に設けられる。
【００２４】
【発明の実施の形態】
以下、本発明の好適な一実施形態を添付図面に従って説明する。
【００２５】
１は、水を破砕して微細な霧状のクラスターを生成するクラスター生成装置である。この実施形態の本発明は、クラスター生成装置１が浴槽２のエプロン３の内側に設けられている。クラスター生成装置１は、モータ１ａで高速回転する回転翼１ｂや、貯水タンク１ｃ等を備えて形成されている。１ｄはエアーの吸引口であり、１ｅは室内に開口されたクラスターの吹出し口である。この吹出し口１ｅは、この実施形態ではエプロン３の上部に形成されている（図１Ｂ、図３参照）。又１ｆは、蓋付きの給水口である。この給水口１ｆはこの実施形態ではエプロン３に設けられ、水はこの給水口１ｆから貯水タンク１ｃに注入されるものである。又１ｇ（図２参照）は、排水弁である。この排水弁１ｇは、例えば電磁弁で構成され、レジオネラ菌対策として一定時間が経過すると開弁し、自動排水するよう構成されている。この排水は、浴槽２の排水栓に接続されている排水管（図示せず）や、浴槽２を載置するための浴槽パンに設置されている排水トラップ（図示せず）等に流されて適宜処理される。又貯水タンク１ｃに入れられる水は、殺菌効果のある薬液としての例えばフィトンチッド溶液を含有している。この薬液の濃度は、人体に害を及ぼさない程度に適宜選定される。
【００２６】
又この本発明の場合は、図１に示されるように、外気を室内に導入するための吸気ファン４が天井５の裏側に設けられ、吸気口４ａが室内の上部である天井５に設けられている。６は、室内の空気を除去するための排気ファンであり、６ａは排気口である。排気ファン６は、浴槽２の側壁２ａに対応する浴室壁７等に設けられている。又排気口６ａは、この実施形態では浴槽２のエプロン３の下部に設けられている（図１Ｂ、図３参照）。この排気口６ａを流れるエアーは、この実施形態ではクラスター生成装置１に形成されているエアー流出口１ｈ（図１Ｂ参照）を介して排気される。なお吸気ファン４の吸気口４ａ、排気ファン６の排気口６ａは、例えばルーバーを備えて形成されている。
【００２７】
次にこの実施形態の本発明の作用を説明する。
【００２８】
クラスター生成装置１が運転を開始すると、貯水タンク１ｃ内の、薬液を含有した水が高速で回転する回転翼１ｂにかけられ、破砕される。これにより霧状の微細なクラスターが生成される。このクラスターは、レナード効果によりマイナスの電位を帯び、しかもフィトンチッド溶液の殺菌成分を含むため、本発明は、このクラスターが吹出し口１ｅから室内に発散されると、入浴者にマイナスイオンのリラクセイション効果等を与え、又室内を殺菌し黴の発生を防止する。
【００２９】
又この実施形態の場合は、吸気ファン４が始動すると室内の上部に滞留している暖気に外気が直ぐに混合され、調和される。又排気ファン６によって、エプロン３の排気口６ａから、室内の低い位置に滞留している冷たい空気が、室内の各位置から同じ速度で円滑に引かれて排気される。
【００３０】
以上の処において、クラスター生成装置１は、図４に示されるように、浴室用カウンター８の内側に設けられ、吹出し口１ｅが前面８ａや天面８ｂに形成されて室内に開口されているのでも良い。又本発明の場合、上記の給水口１ｆは、エプロン３に設けられる場合には限定されず、図２に鎖線で示されるように、浴槽２のフランジ２ｂに形成されているのでも良い。又本発明は、図４に示されるように、給水配管の分岐管９をクラスター生成装置１に接続し、電磁弁等により貯水タンク１ｃに自動給水するよう構成されるのでも良い。この場合、薬液は例えば専用のタンクに入れられ、貯水タンク１ｃに適宜注入可能に形成される。
【００３１】
次に請求項４記載の本発明の好適な一実施形態を、図５に従って説明する。上例と同一箇所、同一部材には同一の番号を付し、詳しい説明は省略する。
【００３２】
この本発明は、上例と同様、水を破砕して微細な霧状のクラスターを生成するクラスター生成装置１を備えてなる。このクラスター生成装置１の構成は、上例と同様である。水は、上例のような殺菌効果のある薬液を含有するものではなく、通常の浄水が使用される。クラスター生成装置１は、上例と同様、浴槽２のエプロン３の内側に設けられている。クラスターの吹出し口１ｅは、エプロン３の上部に設けられ、室内に開口されている。又この本発明も上例と同様、吸気ファン４、排気ファン６を備え、吸気口４ａが室内の上部に、排気口６ａが浴槽２のエプロン３に設けられている。
【００３３】
又この実施形態の本発明は、入浴中はクラスター生成装置１を運転させ、入浴者が退室すると吸気ファン４と排気ファン６を運転させる制御装置１０を備えてなる。
【００３４】
図５において、１１は、入浴者の入退室を検出して検出信号を上記の制御装置１０に出力するセンサである。このセンサ１１は、例えば人体から出る赤外線を検出し、入浴者の入退室に応じて検出信号を制御装置１０としてのマイコンに出力するよう構成されている。又制御装置１０としてのマイコンの出力ポートには、クラスター生成装置１のモータ１ａや上記の吸気ファン４及び排気ファン６が電気的に接続されている。
【００３５】
この本発明の場合は、入浴者が放出する赤外線をセンサ１１が検出すると、制御装置１０としてのマイコンから、クラスター生成装置１のモータ１ａ（図１Ｂ等参照）に駆動信号が送られ、これによりモータ１ａが運転を開始して回転翼１ｂが高速回転し、クラスターが生成される。そしてマイナスの電位を帯びたクラスターが、吹出し口１ｅから室内に霧状に放出される。又入浴者が退室すると、センサ１１からの信号を受けて制御装置１０からモータ１ａに駆動停止信号が送られ、これによりクラスターの生成、放出が停止する。又同時に、吸気ファン４及び排気ファン６に駆動信号が送られる。これにより吸気ファン４、排気ファン６が始動し、外気が室内に取り込まれると共に、室内のエアーが排気口６ａから排気される。
【００３６】
従ってこの本発明の場合は、マイナスイオンの雰囲気下で入浴でき、退室時は空気の入れ換えによって衛生的に室内を維持でき、次の入浴者に快適な入浴環境を提供できる。なおこの実施形態の場合は、図６に示されるように、吸気ファン４、排気ファン６は一定時間が経過すると停止し、又一定時間が経過する前に次の人が入浴（入室）すると、クラスター生成装置１が運転を開始するよう構成されている。この本発明の場合、クラスター生成装置１のモータ１ａや、吸気ファン４等の運転を、入浴者が入退室時に手動スイッチをオンオフすることで制御するのでも良いことは勿論である。
【００３７】
以上の処において、請求項４記載の本発明の場合も、クラスター生成装置１は、浴室用カウンター８の内側に設けられ、吹出し口１ｅが浴室用カウンター８の前面８ａや天面８ｂに開口されるのでも良い。
【００３８】
又本発明は、図７に示されるように、換気時に室内の湿気を除去する除湿器１２を、例えば天井５に備えて形成されているのでも良い。この除湿器１２は、この実施形態ではデシカントフィルタを備え、通常の換気扇では完全に乾燥仕切れない冬場など気温の低い時や、梅雨時でも、除湿効果が得られるよう構成されている。室内の湿気は、除湿器１２によって矢示のように吸気され、外部に排気される。なおこの実施形態では、ドア１３の下部に形成されているルーバー１３ａを介しても吸気できるよう構成されている。
【００３９】
【発明の効果】
以上説明したように本発明は、マイナスの電位を帯び、しかも殺菌効果のあるクラスターを、吹出し口から室内に発散させるよう形成しているものである。
従って本発明によれば、入浴者に、リラクセイション効果や健康増進効果を与えることができるだけではなく、室内を殺菌でき、壁の目地等に黴が発生することを防止できる。
【００４０】
又請求項４記載の本発明は、クラスター生成装置を浴槽のエプロンの内側に、クラスターの吹出し口を室内に開口させて設けているものである。
従ってこの本発明によれば、マイナスイオンによるリラクセイション効果や健康増進効果を享受できるだけではなく、クラスター生成装置を露見させることなく体裁良く、又洗い場スペースを狭めることなくクラスター生成装置を収納、配置できる。又これによると、配設位置が低いため、水や薬液を補充し易い、という利点がある。
【図面の簡単な説明】
【図１】本発明の浴室の好適な一実施形態を示し、Ａは構成図、Ｂは要部縦断面図である。
【図２】同上浴室の要部縦断面図である。
【図３】同上浴室の要部斜視図である。
【図４】同上浴室の他の実施形態を示す要部斜視図である。
【図５】本発明の浴室の一実施形態を示す構成図である。
【図６】図５の本発明の作用を説明するための流れ図である。
【図７】本発明の他の実施形態を示す縦断面図である。
【符号の説明】
１　　クラスター生成装置
１ｅ　吹出し口
２　　浴槽
３　　エプロン
【図１】
2004057569.tif 000003
【図２】
2004057569.tif 000004
【図３】
2004057569.tif 000005
【図４】
2004057569.tif 000006
【図５】
2004057569.tif 000007
【図６】
2004057569.tif 000008
【図７】
2004057569.tif 000009